(57)【要約】  熱交換装置に使用するためのシート。シートは、熱交換装置の垂直軸線とほぼ平行にシートの第１及び第２の縁部の間を実質的に全体を通して第１の方向に延びる複数の垂直リブを含み、垂直リブは、平面から出て第２の方向に突出する。シートは、熱交換装置の水平軸線とほぼ平行にシートの第３及び第４の縁部の間を実質的に全体を通してシートに沿って第３の方向に延びる複数の水平リブを更に含み、水平リブは、第２の方向と反対の第４の方向に平面の中に突出して垂直リブと交差する。【選択図】      図２
2014532852.tif 000002
【特許請求の範囲】
【請求項１】
第１の軸線及び第２の軸線を有する熱交換装置と共に使用するために各シートが第１、第２、第３、及び第４の縁部をパックに沿って有する複数のシートを有するフィルパックであって、
各シートが、前記第１の軸線にほぼ平行である平面にほぼ位置し、前記複数のシートは、結合して複数の導管を形成し、
各シートが、
前記第１及び第２の縁部の間を実質的に全体を通して前記シートに沿って前記第１の軸線とほぼ平行に第１の方向に延び、前記平面から出て第２の方向に突出する第１の垂直リブと、
前記第１の垂直リブとほぼ平行に前記第１及び第２の縁部の間を実質的に全体を通して前記シートに沿って前記第１の方向に延び、前記平面から出て前記第２の方向に突出する第２の垂直リブと、
前記第３及び第４の縁部の間を実質的に全体を通して前記シートに沿って前記第２の軸線とほぼ平行に第３の方向に延び、前記第２の方向と反対の第４の方向に前記平面の中に突出し、前記第１の垂直リブと交差する第１の水平リブと、
前記第１の水平リブにほぼ平行に前記第３及び第４の縁部の間を実質的に全体を通して前記シートに沿って前記第３の方向に延び、前記第２の方向と反対の前記第４の方向に前記平面の中に突出し、前記第２の垂直リブと交差する第２の水平リブであって、前記第１及び第２の垂直リブ及び前記第１及び第２の水平リブが、少なくとも１つのほぼ平面の領域を取り囲む境界を形成し、該少なくとも１つのほぼ平面の領域が、前記第１の軸線に対してある角度でそこに配置された性能リブを更に含む前記第２の水平リブと、
を更に含む、
ことを特徴とするフィルパック。
【請求項２】
前記角度は、前記第１の軸線に対して約２０度から約９０度に等しいことを特徴とする請求項１に記載のフィルパック。
【請求項３】
前記角度は、前記第１の軸線に対して約４５度に等しいことを特徴とする請求項２に記載のフィルパック。
【請求項４】
各シートが、
少なくとも１つの硬化コーナであって、該第１の硬化コーナが、前記複数の導管を含み、該複数の導管の隣接するものが、互いに接触する前記少なくとも１つの硬化コーナ、
を更に含む、
ことを特徴とする請求項１に記載のフィルパック。
【請求項５】
前記第１の垂直及び水平リブと前記第２の垂直及び水平リブとの間の交差点の各々に位置付けられたサドル領域を更に含むことを特徴とする請求項１に記載のフィルパック。
【請求項６】
互いに接触する前記隣接する導管は、結合して蜂の巣幾何学形状を形成することを特徴とする請求項４に記載のフィルパック。
【請求項７】
前記第１の水平リブ及び前記第２の水平リブの各々が、
上部領域、中間領域、及び下側領域を有する第１の壁と、
上部領域、中間領域、及び下側領域を有する第２の壁と、
前記第１の壁と前記第２の壁の間を延びる基部と、
を含む、
ことを特徴とする請求項１に記載のフィルパック。
【請求項８】
前記シートは、ポリ塩化ビニル（ＰＶＣ）で作られることを特徴とする請求項１に記載のフィルパック。
【請求項９】
各シートの各硬化コーナが、隣接シートの前記蜂の巣幾何学形状が互いに接触するように位置決めされることを特徴とする請求項６に記載のフィルパック。
【請求項１０】
前記少なくとも１つの硬化コーナは、複数の硬化コーナであることを特徴とする請求項４に記載のフィルパック。
【請求項１１】
結合して複数の導管を形成する複数の個々のシートを与える段階であって、
該シートの各々が、
第１、第２、第３、及び第４のコーナと共に第１、第２、第３、及び第４の縁部を有し、第１の軸線にほぼ平行である平面にほぼ位置する各シート、
を含み、
各シートが、
前記第１及び第２の縁部の間を実質的に全体を通して前記シートに沿って前記第１の軸線とほぼ平行に第１の方向に延び、前記平面から第２の方向に突出する第１の垂直リブ、
前記第１の垂直リブとほぼ平行に前記第１及び第２の縁部の間を実質的に全体を通して前記シートに沿って前記第１の方向に延び、前記平面から出て前記第２の方向に突出する第２の垂直リブ、
前記第３及び第４の縁部の間を実質的に全体を通して前記シートに沿って第２の軸線とほぼ平行に第３の方向に延び、前記第２の方向と反対の第４の方向に前記平面の中に突出し、前記第１の垂直リブと交差する第１の水平リブ、
前記第１の水平リブにほぼ平行に前記第３及び第４の縁部の間を実質的に全体を通して前記シートに沿って前記第３の方向に延び、前記第２の方向と反対の前記第４の方向に前記平面の中に突出し、前記第２の垂直リブと交差する第２の水平リブであって、前記第１及び第２の垂直リブ及び該第１及び第２の水平リブが、少なくとも１つのほぼ平面の領域を取り囲む境界を形成する前記第２の水平リブ、及び
前記複数の導管を含む少なくとも１つの硬化コーナであって、該複数の導管の隣接するものが互いに接触する前記少なくとも１つの硬化コーナ、
を更に含む、
前記複数の個々のシートを与える段階と、
前記シートをそれらが接触位置で互いに接触するように位置合わせする段階と、
前記シートを前記接着シート対の両側から互いに無線周波数（ＲＦ）溶接して接着シート対を形成する段階と、
を含む、フィルパックのための接着シート対を生成する方法。
【請求項１２】
２つのシートから接着シート対を形成する段階を繰り返す段階と、接着シート対を互いに取りつける段階とを更に含むことを特徴とする請求項１１に記載の方法。
【請求項１３】
２つ又はそれよりも多くの接着シート対を互いに取りつける前記段階は、それらを該接着シート対内の開口を通過してキャップ付き端部を有する装着チューブを使用して互いに保持する段階を含むことを特徴とする請求項１１に記載の方法。
【請求項１４】
第１の軸線と第２の軸線とを有する熱交換装置と共に使用するための熱交換フィルパックを利用して水を凝縮させる方法であって、
冷却される空気流を複数の第１の導管を通過させ、同時に冷却空気流を複数の第２の導管を通過させる段階であって、該第１及び第２の導管が、複数の熱交換シートから形成され、各シートが、第１、第２、第３、及び第４のコーナと共に第１、第２、第３、及び第４の縁部を有し、各シートが、前記第１の軸線にほぼ平行である平面にほぼ位置し、各シートが、
前記第１及び第２の縁部の間を実質的に全体を通して前記シートに沿って前記第１の軸線とほぼ平行に第１の方向に延び、前記平面から第２の方向に突出する第１の垂直リブ、
前記第１の垂直リブとほぼ平行に前記第１及び第２の縁部の間を実質的に全体を通して前記シートに沿って前記第１の方向に延び、前記平面から出て前記第２の方向に突出する第２の垂直リブ、
前記第３及び第４の縁部の間を実質的に全体を通して前記シートに沿って前記第２の軸線とほぼ平行に第３の方向に延び、前記第２の方向と反対の第４の方向に前記平面の中に突出し、前記第１の垂直リブと交差する第１の水平リブ、及び
前記第１の水平リブにほぼ平行に前記第３及び第４の縁部の間を実質的に全体を通して前記シートに沿って前記第３の方向に延び、前記第２の方向と反対の前記第４の方向に前記平面の中に突出し、前記第２の垂直リブと交差する第２の水平リブであって、前記第１及び第２の垂直リブ及び該第１及び第２の水平リブが、少なくとも１つのほぼ平面の領域を取り囲む境界を形成する前記第２の水平リブ、
を更に含む前記通過させる段階と、
前記性能リブが熱交換を与えるように前記シートの上に空気流を流し、冷却される該空気流から水を凝縮させる段階と、
を含むことを特徴とする方法。
【請求項１５】
少なくとも１つの硬化コーナを更に含み、
前記少なくとも１つの硬化コーナは、前記複数の第１及び第２の導管を含み、
前記複数の導管の隣接するものが、互いに接触する、
ことを特徴とする請求項１４に記載の方法。
【請求項１６】
前記性能リブは、前記第１の軸線に対してほぼある角度で延びることを特徴とする請求項１４に記載の方法。
【請求項１７】
互いに接触する前記隣接する導管は、結合して蜂の巣幾何学形状を形成することを特徴とする請求項１５に記載の方法。
【請求項１８】
前記角度は、前記第１の軸線に対して約２０度から約９０度に等しいことを特徴とする請求項１５に記載の方法。
【請求項１９】
前記角度は、前記第１の軸線に対して約４５度に等しいことを特徴とする請求項１８に記載の方法。
【請求項２０】
各シートの各硬化コーナが、隣接するシートの前記蜂の巣幾何学形状が互いに接触するように位置決めされることを特徴とする請求項１７に記載の方法。
【請求項２１】
第１の軸線と第２の軸線とを有する熱交換装置と共に使用するために各シートが第１、第２、第３、及び第４の縁部をそれに沿って有する複数のシートを有するフィルパックであって、
各シートが、前記第１の軸線にほぼ平行である平面にほぼ位置し、前記複数のシートは、結合して複数の導管を形成し、
各シートが、
冷却される空気流を複数の第１の導管を通過させ、同時に冷却空気流を複数の第２の導管を通過させるための手段であって、該第１及び第２の導管が、複数の熱交換シートから形成され、各シートが、第１、第２、第３、及び第４のコーナと共に第１、第２、第３、及び第４の縁部を有し、各シートが、前記第１の軸線にほぼ平行である平面にほぼ位置し、各シートが、
前記第１及び第２の縁部の間を実質的に全体を通して前記シートに沿って前記第１の軸線とほぼ平行に第１の方向に延び、前記平面から第２の方向に突出する第１の垂直リブ、
前記第１の垂直リブとほぼ平行に前記第１及び第２の縁部の間を実質的に全体を通して前記シートに沿って前記第１の方向に延び、前記平面から出て前記第２の方向に突出する第２の垂直リブ、
前記第３及び第４の縁部の間を実質的に全体を通して前記シートに沿って前記第２の軸線とほぼ平行に第３の方向に延び、前記第２の方向と反対の第４の方向に前記平面の中に突出し、前記第１の垂直リブと交差する第１の水平リブ、及び
前記第１の水平リブにほぼ平行に前記第３及び第４の縁部の間を実質的に全体を通して前記シートに沿って前記第３の方向に延び、前記第２の方向と反対の前記第４の方向に前記平面の中に突出し、前記第２の垂直リブと交差する第２の水平リブであって、前記第１及び第２の垂直リブ及び該第１及び第２の水平リブが、少なくとも１つのほぼ平面の領域を取り囲む境界を形成する前記第２の水平リブ、
を更に含む前記通過させるための手段と、
前記性能リブが熱交換を与えるように前記シートの上に空気流を流し、冷却される該空気流から水を凝縮させるための手段と、
を更に含む、
ことを特徴とするフィルパック。
【発明の詳細な説明】
【技術分野】
【０００１】
本発明は、一般的に、冷却塔プルームの低減、及び／又は冷却塔排水又は他の排熱デバイスからの水再利用に関する。より具体的には、本発明は、冷却塔プルームを低減し、及び／又は冷却塔排水からの水を再利用して浄水源を提供し、かつ冷却塔の水消費を低減する方法及び装置に関する。
【背景技術】
【０００２】
例えば蒸気駆動タービンを使用する発電において、水は、バーナーによって加熱され、電気を生成するためにタービンを駆動する蒸気を生成する。この工程に必要な浄水の量を最小にするために、蒸気は、水を工程内で再利用することができるように、熱を取り除くことによって水に再度変換しなければならない。例えば、大きいビルのための空調システムにおいて、ビルの内側の空気は、冷却された冷媒ガスを含むコイルに強制的に通され、それによってビルの内側からの熱を冷媒ガスの中に伝達する。暖めた冷媒は、次に、ビルの外側まで配管され、そこでガスを再冷却して冷却工程を継続することができるように過剰な熱を冷媒から取り除かなければならない。
【０００３】
上述の工程と過剰な熱を消散させる段階を必要とする多くの他の工程とのその両方において、冷却塔が使用されている。湿式冷却塔において、水は、ポンピングされて加熱蒸気、冷媒、又は他の加熱液体又は気体を含むコンデンサコイルに通され、それによって熱を水中に伝達する。水は、次に、冷却塔までポンピングされ、薄いシートの材料又はスプラッシュバーで構成された冷却塔媒体の上に噴霧される。水が冷却塔媒体を流れ下ると、周囲空気は、加熱水に強制的に通され、熱は、顕熱及び蒸発熱伝達の両方によって水から空気に伝達される。空気は、次に、冷却塔から押し出されて周囲空気の中に消散する。
【０００４】
冷却塔は、この過剰な熱を消散させる高効率及び費用効果のある手段であり、従って、この目的のために広範に使用されている。しかし、冷却塔の共通の欠点は、ある一定の大気条件下で、冷却塔の上部から運び出されている空気流の中に蒸発する加熱水源からの水分によってプルームを生成する可能性があるということである。発電プラントの場合のように冷却塔が非常に大きい熱消散配置において、プルームは、冷却塔の近くに低く立ち込める霧を生じる可能性がある。プルームはまた、より冷たい温度がプルーム中の水分を凍らせる冷却塔の近くで道路上に凍結を引き起こす可能性がある。
【０００５】
従って、冷却塔によって引き起こされるプルームを制限又は排除しようとする努力が行われてきた。このような努力の例は、当業技術に見出すことができ、例えば、周囲空気が、塔の底にもたらされて温水がフィルパック上に噴霧される時にフィルパックを通して上方に押し出されるのに加えて、温水噴霧ヘッドの下の隔離された熱伝導通路を通して冷却塔の中にもたらされるプルーム軽減冷却塔が提供されている。アルミニウム、銅などのような熱伝導材料から作られるこれらの通路は、水分が空気中に蒸発することなく周囲空気が熱の一部を吸収することを可能にする。塔の上部では、湿気含有熱風と乾燥熱風が混合され、それによってプルームを低減する。
【０００６】
別の例は、冷却塔に供給される前に温水が部分的に冷却されるプルーム防止システムを含む。温水の部分冷却は、空気又は水のような個別の冷却媒体を用いて作動する個別の熱交換器を使用して行われる。その特許に記載されているように、個別の熱交換器は、冷却塔の効率を低下させ、従って、プルームが冷却塔によって生成されると考えられる大気条件が存在する時にのみ使用しなければならない。
【０００７】
更に別の例において、流れに接続された熱交換フィンにわたって空気を押し出す乾燥空気冷却部分を通して温水が最初にポンピングされるシステムを使用することができる。部分的に冷却された水は、次に、乾燥空気冷却部分の下に位置決めされたフィルパックの上に噴霧され、空気は、フィルパックを通して押し出されて水を更に冷却する。湿潤空気は、次に、塔内で上方に押し出され、乾燥冷却工程からの加熱乾燥空気と混合されて塔の上部から押し出される。
【０００８】
上述のシステムは、湿式冷却塔プルーム問題に有用な解決法を提供するが、これらは、複雑かつ多くの場合に高価である湿式及び乾式空気熱伝達機構の構成を必要とする。乾燥熱風及び湿気含有熱風を冷却塔から流れ出る前に混合し、それによってプルームを低減することができる単純かつ廉価な湿式及び乾式空気冷却機構が依然として必要である。
【０００９】
冷却塔に関して別の認識される問題は、冷却に使用する水が汚染物質で濃縮される可能性があることである。水が冷却塔から蒸発すると、付加的な水を加えるが、水中の汚染物質は、それらが蒸発によって取り除かれないのでより濃縮されることになることは容易に認識されるはずである。水を処理するために冷却水に化学物質を加える場合に、これらの化学物質は、高度に濃縮される可能性があり、これは、環境の中に放出される場合に望ましくないと考えられる。淡水が利用可能でないか又は高価である場合の慣例である蒸発した水を置換するのに海水又は廃水を使用する場合に、水中の塩分と固形分も冷却水回路に蓄積する可能性がある。これらの汚染物質が更に濃縮されると、それらは、薄い蒸発シート間に固まり、塔の冷却効率を低下させる可能性がある。
【００１０】
上述の問題を防止するために、濃縮された汚染物質を有する水の一部分を「ブローダウン」し、それを供給源からの淡水で置換することが通常の慣例である。これは、冷却塔水中の汚染物質が過度に濃縮されるのを防止するが、ブローダウン工程中の水の排出に対する環境への影響がある場合がある。従って、冷却塔内の水の消費を低減する努力が行われてきた。
【００１１】
この分野で現在使用されている冷却塔に関する別の問題は、携帯用飲料水を生成するための海水の脱塩と他の水供給物の浄化である。湿潤空気流から純水を取り出すために多くの手法が開発されてきた。主な商業的工程は、「多段フラッシュ蒸留」、「多重効果蒸留」、「蒸気圧縮蒸留」、及び「逆浸透」を含む。
【発明の概要】
【発明が解決しようとする課題】
【００１２】
以上は、海水又は高レベルの汚染物質を含む他の水供給物をより純粋な水供給物に変換するための脱塩システムの必要性があることを示している。従って、水の供給源として冷却塔の排水を凝縮させる単純かつ費用効果のある手段が望ましいと考えられる。
【課題を解決するための手段】
【００１３】
第１の軸線及び第２の軸線を有する熱交換装置と共に使用するためのフィルパックであって、各シートが第１、第２、第３、及び第４の縁部を有し、各シートが、第１の軸線にほぼ平行である平面にほぼ位置し、複数のシートが、結合して複数の第１の導管及び複数の第２の導管を形成する複数のシートを含み、各シートが、第１及び第２の縁部の間を実質的に全体を通してシートに沿って第１の軸線とほぼ平行に第１の方向に延び、平面から第２の方向に突出する第１の垂直リブと、第１の垂直リブとほぼ平行に第１及び第２の縁部の間を実質的に全体を通してシートに沿って第１の方向に延び、平面から第２の方向に突出する第２の垂直リブと、第３及び第４の縁部の間を実質的に全体を通してシートに沿って第２の軸線とほぼ平行に第３の方向に延び、第２の方向と反対の第４の方向に平面の中に突出し、第１の垂直リブと交差する第１の水平リブと、第１の水平リブにほぼ平行に第３及び第４の縁部の間を実質的に全体を通してシートに沿って第３の方向に延び、第２の方向と反対の第４の方向に平面の中に突出し、第２の垂直リブと交差する第２の水平リブであって、第１及び第２の垂直リブ及び第１及び第２の水平リブが、少なくとも１つのほぼ平面の領域を取り囲む境界を形成する第２の水平リブと、複数の第１及び第２の導管を含む少なくとも１つの硬化コーナであって、複数の導管の隣接するものが、互いに接触し、第１の縁部及び第３の縁部が、少なくとも１つの硬化コーナで荷重に耐える少なくとも１つの硬化コーナとを更に含むフィルパック。
【００１４】
第１の軸線及び第２の軸線を有する熱交換装置と共に使用するために、各シートが、第１、第２、第３、及び第４の縁部をそれに沿って有し、各シートが、第１の軸線にほぼ平行である平面にほぼ位置し、複数のシートが、結合して複数の導管を形成する複数のシートを有するフィルパックであって、各シートが、第１及び第２の縁部の間を実質的に全体を通してシートに沿って第１の軸線とほぼ平行に第１の方向に延び、平面から第２の方向に突出する第１の垂直リブと、第１の垂直リブとほぼ平行に第１及び第２の縁部の間を実質的に全体を通してシートに沿って第１の方向に延び、平面から第２の方向に突出する第２の垂直リブと、第３及び第４の縁部の間を実質的に全体を通してシートに沿って第２の軸線とほぼ平行に第３の方向に延び、第２の方向と反対の第４の方向に平面の中に突出し、第１の垂直リブと交差する第１の水平リブと、第１の水平リブにほぼ平行に第３及び第４の縁部の間を実質的に全体を通してシートに沿って第３の方向に延び、第２の方向と反対の第４の方向に平面の中に突出し、第２の垂直リブと交差する第２の水平リブであって、第１及び第２の垂直リブ及び第１及び第２の水平リブが、少なくとも１つのほぼ平面の領域を取り囲む境界を形成し、少なくとも１つのほぼ平面の領域が、第１の軸線に対してある角度でそこに配置された性能リブを更に含む第２の水平リブとを更に含むフィルパック。
【００１５】
第１及び第２の軸線を有する熱交換装置と共に使用するために、各シートが、第１、第２、第３、及び第４のコーナと共に第１、第２、第３、及び第４の縁部を有し、シートが、第１の軸線にほぼ平行である第１の平面にほぼ位置し、シートが、結合して導管を形成する複数のシートであって、第１及び第２の縁部の間を実質的に全体を通してシートに沿って第１の軸線とほぼ平行に第１の方向に延び、平面から第２の方向に突出する第１の垂直リブと、第１の垂直リブとほぼ平行に第１及び第２の縁部の間を実質的に全体を通してシートに沿って第１の方向に延び、平面から第２の方向に突出する第２の垂直リブと、第３及び第４の縁部の間を実質的に全体を通してシートに沿って第３の方向に延び、第２の方向と反対の第４の方向に平面の中に突出し、第１の垂直リブと交差する第１の水平リブと、第１の水平リブにほぼ平行に第３及び第４の縁部の間を実質的に全体を通してシートに沿って第３の方向に延び、第２の方向と反対の第４の方向に平面の中に突出し、第２の垂直リブと交差する第２の水平リブであって、第１及び第２の垂直リブ及び第１及び第２の水平リブが、少なくとも１つのほぼ平面の領域を取り囲む境界を形成する第２の水平リブと、第１及び第２のシートを接続し、平面から離れるように第１の方向に延びる一連のピークと第１の方向と反対の第２の方向に平面の中に延びる一連のバレーとを含んで迷路幾何学形状を形成するシールとを含む複数のシート。
【００１６】
結合して複数の導管を形成する複数の個々のシートを与える段階であって、シートの各々が、第１、第２、第３、及び第４のコーナと共に第１、第２、第３、及び第４の縁部を有し、第１の軸線にほぼ平行である平面にほぼ位置する各シートを含み、各シートが、第１及び第２の縁部の間を実質的に全体を通してシートに沿って第１の軸線とほぼ平行に第１の方向に延び、平面から第２の方向に突出する第１の垂直リブと、第１の垂直リブとほぼ平行に第１及び第２の縁部の間を実質的に全体を通してシートに沿って第１の方向に延び、平面から第２の方向に突出する第２の垂直リブと、第３及び第４の縁部の間を実質的に全体を通してシートに沿って第２の軸線とほぼ平行に第３の方向に延び、第２の方向と反対の第４の方向に平面の中に突出し、第１の垂直リブと交差する第１の水平リブと、第１の水平リブにほぼ平行に第３及び第４の縁部の間を実質的に全体を通してシートに沿って第３の方向に延び、第２の方向と反対の第４の方向に平面の中に突出し、第２の垂直リブと交差する第２の水平リブであって、第１及び第２の垂直リブ及び第１及び第２の水平リブが、少なくとも１つのほぼ平面の領域を取り囲む境界を形成する第２の水平リブと、複数の導管を含む少なくとも１つの硬化コーナであって、複数の導管の隣接するものが互いに接触する少なくとも１つの硬化コーナとを更に含む複数の個々のシートを与える段階と、シートをそれらが接触位置で互いに接触するように位置合わせする段階と、シートを接着シート対の両側から互いに無線周波数（ＲＦ）溶接して接着シート対を形成する段階とを含むフィルパックのための接着シート対を生成する方法。
【００１７】
冷却される空気流を複数の第１の導管を通過させ、同時に冷却空気流を複数の第２の導管を通過させる段階であって、第１及び第２の導管が、複数の熱交換シートから形成され、各シートが、第１、第２、第３、及び第４のコーナと共に第１、第２、第３、及び第４の縁部を有し、各シートが、第１の軸線にほぼ平行である平面にほぼ位置し、各シートが、第１及び第２の縁部の間を実質的に全体を通してシートに沿って第１の軸線とほぼ平行に第１の方向に延び、平面から第２の方向に突出する第１の垂直リブと、第１の垂直リブとほぼ平行に第１及び第２の縁部の間を実質的に全体を通してシートに沿って第１の方向に延び、平面から第２の方向に突出する第２の垂直リブと、第３及び第４の縁部の間を実質的に全体を通してシートに沿って第２の軸線とほぼ平行に第３の方向に延び、第２の方向と反対の第４の方向に平面の中に突出し、第１の垂直リブと交差する第１の水平リブと、第１の水平リブにほぼ平行に第３及び第４の縁部の間を実質的に全体を通してシートに沿って第３の方向に延び、第２の方向と反対の第４の方向に平面の中に突出し、第２の垂直リブと交差する第２の水平リブであって、第１及び第２の垂直リブ及び第１及び第２の水平リブが、少なくとも１つのほぼ平面の領域を取り囲む境界を形成する第２の水平リブと、複数の第１及び第２の導管を含む少なくとも１つの硬化コーナであって、複数の導管の隣接するものが互いに接触する少なくとも１つの硬化コーナとを更に含む通過させる段階と、冷却される空気流からの水を凝縮させる段階とを含む、第１の軸線及び第２の軸線を有する熱交換装置と共に使用するための熱交換フィルパックを利用して水を凝縮させる方法。
【００１８】
冷却される空気流を複数の第１の導管を通過させ、同時に冷却空気流を複数の第２の導管を通過させる段階であって、第１及び第２の導管が、複数の熱交換シートから形成され、各シートが、第１、第２、第３、及び第４のコーナと共に第１、第２、第３、及び第４の縁部を有し、各シートが、第１の軸線にほぼ平行である平面にほぼ位置し、各シートが、第１及び第２の縁部の間を実質的に全体を通してシートに沿って第１の軸線とほぼ平行に第１の方向に延び、平面から第２の方向に突出する第１の垂直リブと、第１の垂直リブとほぼ平行に第１及び第２の縁部の間を実質的に全体を通してシートに沿って第１の方向に延び、平面から第２の方向に突出する第２の垂直リブと、第３及び第４の縁部の間を実質的に全体を通してシートに沿って第２の軸線とほぼ平行に第３の方向に延び、第２の方向と反対の第４の方向に平面の中に突出し、第１の垂直リブと交差する第１の水平リブと、第１の水平リブにほぼ平行に第３及び第４の縁部の間を実質的に全体を通してシートに沿って第３の方向に延び、第２の方向と反対の第４の方向に平面の中に突出し、第２の垂直リブと交差する第２の水平リブであって、第１及び第２の垂直リブ及び第１及び第２の水平リブが、少なくとも１つのほぼ平面の領域を取り囲む境界を形成する第２の水平リブとを更に含む通過させる段階と、性能リブが熱交換を与えるようにシートの上に空気流を流し、冷却される空気流からの水を凝縮させる段階とを含む、第１の軸線及び第２の軸線を有する熱交換装置と共に使用するための熱交換フィルパックを利用して水を凝縮させる方法。
【００１９】
以下の本発明の詳細説明をより良く理解することができるように、かつ当業技術への本発明の寄与をより良く認めることができるように本発明のより重要な特徴をむしろ幅広く以上のように概説した。勿論、以下に説明することになり、かつ本明細書に添付する特許請求の範囲の主題を形成することになる本発明の付加的な特徴が存在する。
【００２０】
この点に関して、本発明の少なくとも１つの実施形態を詳細に説明する前に、本発明は、以下の説明に示すか又は図面に例示する構成の詳細及び構成要素の配置にその適用において限定されないことは理解されるものとする。本発明は、他の実施形態が可能であり、様々な方法に実施かつ実行することができる。また、本明細書に使用する表現及び用語、並びに要約は、説明目的のためであり、限定するように考えるべきではないことは理解されるものとする。
【００２１】
従って、当業者は、本発明の開示が基づいている概念が、本発明のいくつかの目的を実施するための他の構造、方法、及びシステムの設計の基礎として容易に利用することができることを認めるであろう。従って、特許請求の範囲は、均等な構成をそれらが本発明の精神及び範囲から逸脱しない限り含むと考えることは重要である。
【図面の簡単な説明】
【００２２】
【図１】本発明の実施形態による熱交換パックの一部分の斜視図である。
【図２】本発明の別の実施形態により回転された熱交換パックの斜視図である。
【図３】本発明の実施形態による迷路シールの概略図である。
【図４】冷却塔などに位置決めされた本発明の実施形態による熱交換器の概略図である。
【図５】本発明の実施形態によるシートの特徴を描いた熱交換シートの平面図である。
【発明を実施するための形態】
【００２３】
同じ参照番号が同じ要素を示す図をここで参照すると、図１及び図２において、その全体を参照符号１０で表した蒸気凝縮熱交換器パック１０が本発明の実施形態によって示されている。図示のように、熱交換器パック１０は、パック１０を形成するようにそれぞれ互いに接続又は接着された複数の個々の薄い熱交換シート１２及び１４から構成される。シート１２及び１４は、しかし、一例では様々な材料から作ることができ、シート１２、１４は、例えば、以下により詳細に説明することになるテクスチャ表面を有する比較的薄い合成樹脂材料である。２つのシート１２、１４が説明を容易にするために描かれているが、本発明の実施形態は、複数の個々の熱交換シートを採用又は使用する熱交換パックを含むことができる。図１及び図２に示すように、パックは、パック１０を通る第１の流路１６、すなわち、シート１２、１４の間の通路と、シート１２の上及びシート１４の下の第２の流路１８とを有する。上述の流れは、２つの異なる空気流を与え、かつ可能にする。図示の実施形態において、２つの空気流は、互いに対して直角に熱交換器パックに入り、シート１２、１４によって互いに分離されたままである。
【００２４】
図１に示すように、熱交換処理中に２つの空気流１６及び１８が混合するのを防止するために、シール２０が、第１の縁部上に薄い合成樹脂のシート１２、１４で形成される。このシールは、シート１２、１４の１つの縁部上に薄いシート１２、１４の縁部２２によって形成され、シート１２は押下され、シート１４は隆起する。押下及び隆起シート１２及び１４は、それぞれ空気通路１６の中心で接触し、又は換言すれば、通路１６の幅の半分だけ押下され又は隆起する。この縁部シール２０は、通路１６に平行であり、従って、空気通路１８の入口及び出口の縁部に沿って空気通路１８の長さに沿って延びる。
【００２５】
同様に、シール２０の反対側の別のシール２１は、空気通路１８の中心で接触し、又は換言すれば、通路１８の幅の半分だけ押下され又は隆起するシール２０に垂直な縁部上の薄いシート材料１２の隆起縁部と薄いシート材料１４の押下縁部によって形成される。シール２０が接着されるのに対して、縁部シール２１は、圧縮嵌めである。この縁部シール２１は、空気通路１６の入口及び出口の縁部に沿って空気通路１８の長さだけ延びる。図示していないが、シール２０に平行な嵌合する薄いシート材料１２及び薄いシート材料１４の他の縁部も同様に接着される。従って、垂直な通路１６及び１８が、熱交換器パック１０内に形成される。
【００２６】
図に示すように、一方の縁部は、形成されたシートから離れて正に延び、他方の縁部は、下方に又は負に延びる。この配置において、単一シート構成要素を使用して熱交換器パック全体の基部を形成することができる。これは、シート１２、１４を互いの上に積み重ね、シートを１つおきにひっくり返し、そのパックを前のシート上に置くことによってパックを組み立てる時に達成される。３つの通路のみが描かれているが、本明細書に開示するように、使用の際に熱交換器パックは、多くの垂直通路を有することになり、どのような数の通路もシート１２、１４を使用して形成することができることは容易に認識されるはずである。
【００２７】
シート１２、１４を適正に位置合わせするために、ロケータノブ又はボタン２８、３０が、薄いシート材料に形成される。合わせシート１２、１４からのボタン２８、３０は、一方を他方の内側にして入れ子にされてシート１２、１４を正しく位置決めする。好ましい実施形態において、正に延びるボタン２８は、通路１８を通る空気流の方向に見ると、平らな上面を有するｃｏｎｉｄｉａｌ形状である。
【００２８】
冷たい空気流又は蒸気含有空気流のいずれかのための通路の各々の幅は、特定のタスクの設計条件により異なる可能性がある。また、パック１０の向きに応じて、冷たい空気通路１８及び蒸気含有空気通路１６は、必ずしも等しい幅である必要はない。
【００２９】
図１及び図２に示すように、シート１２、１４は、縁部シール２１と平行にシート１２、１４に沿って延びる第１の一連の離間した平行リブ４０と、シール２０と平行にシート１２、１４に沿って延びる第２の一連の離間した平行リブ４２とを含む。上部シート１２に示すように、第１の一連のリブ４０は、それがシート１２、１４に沿って延びる時にシートが位置する平面から又は図面のページから出て突出するが、第２の一連のリブ４２は、それがシート１２に沿って延びる時に平面の中に又は図面のページの中に突出する。図１及び図２に示すように、リブ４０、４２の各々は、好ましくは、テーパのついた端部領域４４を有する。
【００３０】
図示のように、熱交換器パック１０の個々のシートは、交互構成を有し、隣接するシート１２、１４は、互いに鏡面である。例えば、図１及び図２に示すようなシート１２を単純にひっくり返してシート１４にすることができ、その場合には、ページから突出する第１の一連のリブ４０は、ここでページの中に延びるが、ページの中に突出する第２の一連のリブ４２は、ここでページから外へ延びる。
【００３１】
図１及び図２に示すように、リブ４０、４２は、それぞれのリブ４０、４２が互いに交差するところに位置決めされた周期的遮断以外は、これらが水平及び垂直方向にシート１２、１４に沿って延びるので実質的に連続的である。図に示すように、第１の一連のリブ４０及び第２の一連のリブ４２は、好ましくは、互いに９０度の角度で互いに交差するが、リブ４０、４２は、必要に応じて９０度よりも大きいか又は９０度未満の角度で交差することができる。更に、リブ４０、４２は、交差点又はサドル４６で互いに交差する。図２に示すように、サドル４６は、第１の一連のリブ４０上に配置された凹部又はディンプル領域であり、サドルは、シートが位置する平面の中に徐々に下方にある距離だけ突出し、次に、平面から出て徐々に上方に突出し、サドル４６上に丸いほぼＵ字形凹部又は幾何学形状を与える。
【００３２】
図１及び図２に示すように、サドル４６は、リブ４０、４２の交差点の殆ど全ての点に位置付けられる。シートのスタックが組み立てられて例えば熱交換器パック１０を形成すると、サドル４６は、隣接する個々のシート１２、１４に対して及び全体として熱交換器パック１０に対して耐荷領域として機能することができる。コーナ領域も、以下により詳細に説明するが、耐荷を助け、耐荷機能を行う。図示の実施形態において、サドルは、個々のシート１２、１４を通り、かつ熱交換器パック１０を通る直接荷重経路を与えることにより、様々な荷重及び／又は熱交換器パック１０が作動中に受ける場合があるものをシート１２、１４に伝達する。シート１２、１４のコーナ幾何学形状と共に、サドルの上述の向き及び得られる直接荷重経路は、シート１２、１４及び熱交換器パック１０に強度及び安定性を与える。例えば、例示的な実施形態において、サドルは、パックの捩り、パックの曲げ、及び同じくパックのシートの間に形成される個々の空気チャネルの圧潰にも抵抗するアレイに配置される。サドル４６の形状は、両リブの方向に剛性を有する交差点を与える。これは、いずれの方向にもリブセグメント間の有効負荷伝達を可能にする。
【００３３】
上述したように、第１の一連のリブ４０は、シール２１と平行にシート１２、１４に沿って延び、第２の一連のリブ４２は、シール２０と平行にシート１２、１４に沿って延び、サドル４６で互いに交差する。これらの交差点は、リブの「境界」内に位置付けられた複数のほぼ平面の部分４８を有するシート１２、１４上の格子状構成を与える。図１及び図２に示すように、平面部分４８は、ほぼ正方形の構成を有し、リブ４０とリブ４２の間を延びる。平面部分４８は、リブ４０及び４２と結合し、空気流が直接に熱交換器パック１０を通過するための隣接する空気流路又はチャネルを与える。上述の流れチャネルはまた、一方のチャンバから隣接するチャネルへの空気の侵出を低減し、かつ逆も同様であり、流れが熱交換器パック１０に入った状態で空気流がパック１０を貫流するための単一経路を与える。
【００３４】
平面部分４８はほぼ平面であり、空気が進むチャネルに平坦面を与える。平坦面は、上述したように、平面から離れるように延びるリブ４０及びリブ４２によって遮断される。図１及び図２に示すように、本発明の一部の実施形態は、ほぼ滑らかな幾何学形状を有する平面部分４８を含むが、代替実施形態は、例えば、熱性能強化リブ５０を含むことができる。図１及び図２に示すように、リブ５０は、乾燥経路の中に突出し、好ましくは、この経路に沿って通過する空気流を攪拌する。図示のように、リブ５０は、経路を通る空気流に対してある角度に向けられるか又は位置決めされる。好ましくは、この角度は、約２０度から約９０度の範囲、最も好ましくは、約４５度である。また、リブの高さは、乾燥経路幅の関数として変えることができる。例えば、リブ５０の高さは、乾燥経路開口部の幅の０．３〜０．５倍、より好ましくは、幅高さの０．１０倍とすることができる。更に、経路上のリブ５０の中心間の間隔は、リブの高さの５〜２０倍で変えることができる。好ましくは、間隔は、リブ５０の高さの約１０倍である。
【００３５】
図に示すように、リブ５０は、乾燥経路の片面又は両面から延びることができる。両面のリブ５０を利用する実施形態において、対向する面のリブ５０は、互いに平行又はある角度にすることができる。更に、リブ５０を平行構成に向ける時に、あらゆる所定の断面において開口部を遮断し過ぎないように、一方の面から他方の面まで千鳥配置が望ましい。リブの幾何学形状は、三角形、正方形、直線形、長円形などとすることができる。１つの好ましい実施形態において、形状は、正方形である。図示のような長い連続リブは、水はけに対して好ましい。しかし、リブ５０は、一連のより小さい個別リブに分けることができる。
【００３６】
本発明の一実施形態において、性能リブ５０の好ましい配置は、パック１０をダイヤモンド構成で設置する時に垂直であることになり、その理由は、水平リブ５０の向きにより、それらが液体で満たされ、かつ圧力低下の増大を引き起こすからである。相応に、図示した例示的なシート１２及びシート１４において、各シートは、リブ５０がダイヤモンドパックの向きに垂直に走るか又は延びるように、リブ５０が反対側にあるという点で他方とは異なる。性能リブの上述の好ましい垂直の向きは、例えば、好ましい垂直の向きを得るように別々の固有の真空モールドを利用することによって達成することができる。
【００３７】
ここで図１及び図２を参照すると、熱交換器パック１０の各シート１２、１４は、各々その全体を参照符号５２で表した４つのコーナ領域を有する。コーナ領域５２の各々は、蜂の巣で波形の部分又は脚５４を含む。図２に示すように、波形部分５４は、好ましくは、幾何学形状が蜂の巣であり、これは、剛性脚又は基部を与え、重力荷重を支持し、パック１０のシート１２、１４の曲げ又は屈曲を防止する。
【００３８】
水分は、湿潤経路内で凝縮されるので、一部の凝縮物は、それがシールに達するまで下降することになり、次に、それがチューブを出るまでシールに沿って下降することになる。このシールは、凝縮物を乾燥空気経路ダクトの中に滴下しないように防水性でなければならない。従来の糊及び溶媒溶接を使用してシールを与えることができるが、一実施形態において、上述のシールは、好ましくは、合わせチューブ半端の無線周波数（ＲＦ）溶接によって与えられる。一実施形態において、ＲＦエネルギがバーを通して供給されている時に対向するピークとバレー内に静止することになる約ピークとバレーの幅の金属バーを有するＲＦ溶接機械を使用することができる。エネルギがバーに供給されると、熱的結合が接触領域で形成される。この方法におけるシート対のＲＦ溶接は、典型的には、次に、シート対の両側からシート対に近づく金属ロッド又はバーのアセンブリを有することによって達成されることになる。
【００３９】
図２及び図３を参照すると、乾燥経路シールは、迷路幾何学形状５６を有するコーナ５２内に明確に描かれている。迷路幾何学形状により、１つのチューブの次のチューブに対する圧縮シールは、ロバストな乾燥空気経路シールを生成する。このシールは、接着剤又は溶接を必要としない。迷路シールは、漏れる空気が通過するのに平坦面の接触よりも曲がりくねった経路を与える。迷路幾何学形状は、平坦縁部を補剛するリブをもたらす。上述の補剛面は、シートが互いに対して押圧される時にその形状を維持するのによりロバストである。
【００４０】
ここで図４を参照すると、作動中に、コーナ５２は、個々のフィルパックが、熱交換器が内部に使用される冷却塔の支持構造又はフレームアセンブリ６０と容易に係合することを可能にする。支持構造又はフレームアセンブリ６０は、典型的には、個々の熱交換器パックが着座又は静止するほぼ平面を有するクロスビーム又は支持体を含む。例えば、フレームアセンブリ６０は、コーナ５２を受け入れるためのコーナ支持体６２を含むことができ、そのためにこれらは、好ましい向きで塔に位置決めされる。コーナ５２の上述の波形構成は、コーナ支持体６２との組み合わせで、冷却塔のクロスビーム又は支持体の平面上に容易に静止するか又はそれと係合する剛性の支持面を与える。
【００４１】
下部コーナの補強の代替又はそれへの追加は、シート１２、１４に溶接ソケット６４を与えて支持体（図示せず）の挿入を可能にすることである。上述の支持体は、あらゆる幾何学形状のものとすることができるが、１つの好ましい実施形態は、丸いステンレス鋼のパイプ／チューブ支持体を使用する。上述のソケット６４は、追加されて仮にポリプロピレンのような高温（１２１°Ｆ〜１６０°Ｆ）又は剛性の少ない材料がその使用を必要とすれば利用することができる。全体的に参照符号６４で表した針金ハンガーが、ステンレス鋼支持チューブから上方に延び、かつパック１０の上方のフレームから懸架される。
【００４２】
ここで図５を参照すると、図１〜図４に関連して上述したシート１２、１４の一方の平面図が描かれている。上述したように、個々のシートは、これらが互いに鏡面である交互構成を有する。
【００４３】
上述したように、シート１００は、縁部シール２０（図示せず）と平行にかつ垂直軸線Ａとほぼ平行にシート１２、１４に沿って延びる第１の一連の離間したリブ４２を含む。シートはまた、水平軸線Ｂとほぼ平行にかつ垂直軸線Ａと垂直にシール２１（図示せず）に沿って延びる第２の一連のリブ４０を含む。図１〜図４で上述したように、第１の一連のリブ４０は、それがシート１００に沿って延びる時にシート１００が位置する平面から出て突出し、一方、第２の一連のリブ４２は、平面の中に突出する。
【００４４】
シート１００は、上述したように、ほぼ平面であって空気が通過するチャネルに平坦面を与える平面部分４８を有する。平坦面は、上述したように、平面から離れるように延びるリブ４０及びリブ４２によって遮断される。図示のように、これらの部分は、例えば、熱性能強化リブ５０を含むことができる。リブ５０は、乾燥経路の中に突出し、好ましくは、この経路に沿って通過する空気流を攪拌する。図示のように、リブ５０は、経路を通る空気流に対してある角度に向けられるか又は位置決めされる。好ましくは、この角度は、約２０度から約９０度の範囲、最も好ましくは、約４５度である。作動中に、シート１００は、フィルパックに対して約５５度回転され、従って、リブ５０は、垂直軸線Ａとほぼ平行に延びる。
【００４５】
上述したような両面上のリブ５０において、対向する面のリブ５０は、互いに平行又はある角度にすることができる。更に、上述のリブ５０が平行構成に向けられる時に、あらゆる所定の断面において開口部を遮断し過ぎないように一方の面から他方の面まで千鳥配置が望ましい。リブの幾何学形状は、三角形、正方形、直線形、長円形などとすることができる。１つの好ましい実施形態において、形状は正方形である。図示のような長い連続リブは、水はけに対して好ましい。
【００４６】
同じく上述したように、シート１００は、各々を全体的に参照符号５２で表した４つのコーナ領域を有する。コーナ領域５２の各々は、組み合わされた時に、シートが上述したように蜂の巣で波形の部分又は脚（図示せず）を与えるような幾何学形状を有する。
【００４７】
本発明の多くの特徴及び利点は、詳細な明細書から明らかであり、従って、本発明の真の精神及び範囲に含まれる本発明の全てのそのような特徴及び利点を網羅するように特許請求の範囲によって意図している。更に、当業者には多くの修正及び変形が容易に想起されることになるので、図示して説明した構成及び作動通りに本発明を限定することは望ましくなく、従って、全ての適切な修正物及び均等物は、本発明の範囲に含まれるという手段に訴えることができる。
【符号の説明】
【００４８】
１０  熱交換器パック
１２、１４  シート
２０、２１  シール
４６  サドル
５６  迷路幾何学形状
【図１】
2014532852.tif 000003
【図２】
2014532852.tif 000004
【図３】
2014532852.tif 000005
【図４】
2014532852.tif 000006
【図５】
2014532852.tif 000007
【国際調査報告】
2014532852.tif 000008
2014532852.tif 000009
2014532852.tif 000010